(57)【要約】【課題】  シートスルー方式の画像読取装置又はフラットベッド方式の画像読取装置のいずれにも任意選択して配設することができるスキャナユニットを提供する。【解決手段】  本画像読取装置１００のスキャナユニット１１は、ボトムフレーム２１に設けられたガイドレール２４及び案内ロッド２６に沿って走査方向に移動可能であり、且つ、ボトムフレーム２１の所定位置に固定するための固定用挿通孔２０ａが穿設された固定片２０を備えたものである。【選択図】  図４
2005223774.tif 000002
【特許請求の範囲】
【請求項１】
原稿に光を照射して反射光により画像を読み取るスキャナユニットがフレームに収納されてなる画像読取装置であって、前記スキャナユニットは、前記フレームに設けられたガイド部材に沿って走査方向に移動可能であり、且つ、前記フレームの所定位置に固定するための固定用挿通孔が穿設された固定片を備えたものであることを特徴とする画像読取装置。
【請求項２】
前記スキャナユニットは、一端側に前記フレームに設けられた案内ロッドが挿通されるロッド穴が形成されるとともに、他端側に前記フレームのガイドレール上を摺動するための摺動部が設けられ、且つ、一端側又は他端側に前記フレームに設けられたベルト駆動機構のベルトを固定するためのベルト固定部が設けられたものであることを特徴とする請求項１記載の画像読取装置。
【請求項３】
前記フレームに、前記スキャナユニットを所定位置に固定するための固定用ネジ孔が形成され、且つ、前記スキャナユニットを走査方向に案内する案内ロッド固定部と、該スキャナユニットに駆動力を付与するためのベルト駆動機構取付部とが設けられたことを特徴とする請求項２記載の画像読取装置。
【発明の詳細な説明】
【技術分野】
【０００１】
本発明は、フラットベッド方式の画像読取装置及びシートスルー方式の画像読取装置に関する。
【背景技術】
【０００２】
スキャナ、ファクシミリ、複写機等に採用される画像読取装置には、プラテンガラスに原稿を載置して画像読取りを行うフラットベッド方式のものと、複数枚の原稿を順次給紙して画像読取りを行うシートスルー方式のものとがある。フラットベッド方式はフラットベッドスキャナ（以下「ＦＢＳ」という。）により実現されており、シートスルー方式は主にオート・ドキュメント・フィーダー（以下「ＡＤＦ」という。）により実現されている。
【０００３】
図１１は、ＡＤＦ及びＦＢＳの両方を装備した画像読取装置９００の外観を示す概略斜視図であるが、図に示すように、画像読取装置９００は、読み取るべき原稿を載置するプラテンガラス９０１が配設された読取載置台９０２と、該原稿をプラテンガラス９０１上に押圧して固定する原稿押えカバー９０３と、原稿の読取り開始等を入力するための操作パネル９０４と、記録用紙に画像を記録する画像記録部、画像を電送するための送信部、読み取った画像を記録するための記録用紙を供給する給紙カセット等を内蔵した本体９０５とを具備してなり、該プラテンガラス９０１に載置された原稿に対して読取載置台９０２内に設けられたＣＣＤ等の画像読取手段が移動して画像読取りを行うことによりＦＢＳとして機能する。また、原稿押えカバー９０３内にはＡＤＦが装備されており、該ＡＤＦにより、原稿押さえカバー９０３を閉じた状態で原稿トレイ上の原稿が排紙トレイへ搬送され、その搬送過程においてプラテンガラス９０１上の読取位置を通過する際に、読取載置台９０２内に設けられたＣＣＤ等のスキャナユニットにより、該原稿の画像読取りが行われるようになっている（例えば特許文献１、特許文献２参照）。また、画像読取装置の小型軽量化等の観点から、前記画像読取装置９００のようにＡＤＦ及びＦＢＳの両方を装備したものでなく、ＡＤＦによる画像読取りのみが可能な画像読取装置や、ＦＢＳによる画像読取りのみが可能な画像読取装置も提供されている。
【０００４】
【特許文献１】特開平１−１９４６５８号公報
【特許文献２】特願２００２−１２００７４号公報
【発明の開示】
【発明が解決しようとする課題】
【０００５】
ＡＤＦによる画像読取りのみが可能な画像読取装置では、装置本体内にスキャナユニットが固定される一方、ＦＢＳによる画像読取りのみが可能な画像読取装置では、スキャナユニットはガイドレール等のガイド部材に沿って摺動自在に配設され、ベルト駆動機構のベルト等とも連結されている。したがって、シートスルー方式のスキャナユニットと、フラットベッド方式のスキャナユニットとは、各々の機能を考慮してシートスルー方式又はフラットベッド方式に適応するように設計された別構造のものが採用されている。しかし、画像読取装置は小型軽量化のほかに、低コスト化の要望もあり、シートスルー方式又はフラットベッド方式に採用されるスキャナユニットも低コスト化が望まれている。
【０００６】
本発明は、かかる課題を解決すべくなされたものであり、シートスルー方式の画像読取装置又はフラットベッド方式の画像読取装置のいずれにも任意選択して配設することができるスキャナユニットを提供することを目的とする。
【課題を解決するための手段】
【０００７】
本発明は、原稿に光を照射して反射光により画像を読み取るスキャナユニットがフレームに収納されてなる画像読取装置であって、前記スキャナユニットは、前記フレームに設けられたガイド部材に沿って走査方向に移動可能であり、且つ、前記フレームの所定位置に固定するための固定用挿通孔が穿設された固定片を備えたものであることを特徴とする。
【０００８】
また、本発明は、前記画像読取装置において、前記スキャナユニットは、一端側に前記フレームに設けられた案内ロッドが挿通されるロッド穴が形成されるとともに、他端側に前記フレームのガイドレール上を摺動するための摺動部が設けられ、且つ、前記フレームに設けられたベルト駆動機構のベルトを固定するためのベルト固定部が設けられたものであることを特徴とする。
【０００９】
また、本発明は、前記画像読取装置において、前記フレームに、前記スキャナユニットを所定位置に固定するための固定用ネジ孔が形成され、且つ、前記スキャナユニットを走査方向に案内する案内ロッド固定部と、該スキャナユニットに駆動力を付与するためのベルト駆動機構取付部とが設けられたことを特徴とする。
【発明の効果】
【００１０】
本発明によれば、画像読取装置のフレームに収納されるスキャナユニットを、該フレームに設けられたガイド部材に沿って走査方向に移動可能であり、且つ、該フレームの所定位置に固定するための固定用挿通孔が穿設された固定片を備えたものとしたので、フラットベッド方式の画像読取装置に配設する場合には移動可能なスキャナユニットとして、シートスルー方式の画像読取装置の配設する場合には固定されたスキャナユニットとして、それぞれの機能にあわせて使用することができる。これにより、スキャナユニットの汎用性が高まり、量産によるコストダウンを図ることができる。
【００１１】
また、本発明によれば、前記スキャナユニットは、一端側に前記フレームに設けられた案内ロッドが挿通されるロッド穴が形成されるとともに、他端側に前記フレームのガイドレール上を摺動するための摺動部が設けられ、且つ、前記フレームに設けられたベルト駆動機構のベルトを固定するためのベルト固定部が設けられたので、案内ロッド及びガイドレールによるスキャナユニットを走査方向に案内するシートスルー方式の画像読取装置に対応できる。
【００１２】
また、本発明によれば、前記フレームに、前記スキャナユニットを所定位置に固定するための固定用ネジ孔が形成され、且つ、前記スキャナユニットを走査方向に案内する案内ロッド固定部と、該スキャナユニットに駆動力を付与するためのベルト駆動機構取付部とが設けられたので、画像読取装置のフレームをフラットベッド方式及びシートスルー方式の画像読取装置で共通化することができ、スキャナユニットとともに画像読取装置のコストダウンを図ることができる。
【発明を実施するための最良の形態】
【００１３】
図１及び図２は、本発明の実施の形態に係る画像読取装置１００の概略斜視図である。図に示すように、該画像読取装置１００は、読み取るべき原稿を載置するプラテンガラス１０が配設された読取載置台１０１と、該原稿をプラテンガラス１０上に押圧して固定する原稿押えカバー１０２とを具備してなる。また、前記読取載置台１０１には、原稿の読取り開始等を入力するための操作パネル１０３が設けられており、図には詳細に示していないが、装置本体には、記録用紙に画像を記録する画像記録部、画像を電送するための送信部、及び読み取った画像を記録するための記録用紙を供給する給紙カセット等を具備して、コピー・ファクシミリ複合機として機能するようになっている。なお、画像読取装置をコピー・ファクシミリ複合機に用いるか、ファクシミリ単体に用いるかは任意である。このような画像読取装置１００は、フラットベッド方式及びシートスルー方式での画像読取りを行うことができ、フラットベッド方式で原稿を読み取る場合には、図２に示すように原稿押さえカバー１０２を開いて読取載置台１０１のプラテンガラス１０上に原稿を載置し、原稿押さえカバー１０２を閉じた状態で読取載置台１０１内のスキャナユニット（不図示）を走査することにより画像読取りが行われ、シートスルー方式で原稿を読み取る場合には、図１に示すように原稿押さえカバー１０２を閉じた状態でＡＤＦ１により原稿が自動搬送され、その搬送過程において読取載置台１０１内のスキャナユニットにより画像読取りを行う。
【００１４】
ＡＤＦ１は、前記原稿押えカバー１０２内に配設されて、プラテンガラス１０の読取位置Ｐへ原稿を連続的に繰り込むものであり、図３に示すように、本ＡＤＦ１によって原稿トレイ２から搬送路へ繰り込まれた原稿は、ペーパガイド３に沿って上方から下方へＵターンするように反転して読取位置Ｐに至り、該読取位置Ｐを通過する際にスキャナユニット１１により原稿の画像が読み取られて、原稿トレイ２の下方の排紙トレイ４へ排出される。なお、本ＡＤＦ１によって搬送される原稿は、コピーやプリンタに汎用される各種サイズの所謂普通紙の他、搬送路を通過可能な厚みであって横向きＵ字状の搬送路に沿って湾曲可能なものである。
【００１５】
図に示すように、ＡＤＦ１は、複数枚の原稿を積重状態で担持する原稿トレイ２と、原稿トレイ２の下流側に設けられたペーパガイド３と、搬送後の原稿を積重状態で担持する排紙トレイ４と、原稿トレイ２上の原稿を搬送路へ送り込むピックアップローラ５及び給紙ローラ６と、該給紙ローラ６と圧接する分離パッド７と、搬送路において原稿を搬送する搬送ローラ８とを具備してなる。
【００１６】
原稿トレイ２は、原稿押えカバー１０２の上部に、原稿を供給する方向へ若干傾斜させて設けられており、その上面において複数枚の原稿を積重状態で担持するようになっている。使用者が原稿トレイ２上に原稿を載置する場合には、原稿トレイ２の傾斜下端側に原稿の先端を揃えるようにして載置する。また、原稿トレイ２には、原稿の幅方向の位置を規制して原稿の斜め送りを防止する可変式のガイド部材２ａが設けられている。
【００１７】
前記原稿トレイ２の下流側には、ペーパガイド３が原稿押えカバー１０２内に配設されて、該ペーパガイド３が搬送路の内側ガイド面となり、原稿押えカバー１０２のカバー本体１０２ａ及びＡＤＦカバー１０２ｂが搬送路の外側ガイド面となって、排紙トレイ４と連通する横向きＵ字状の搬送路を形成している。なお、搬送路を構成する外側ガイド面は鉄板等を湾曲してなるガイド板を別途原稿押えカバー１０２に設けることもできるが、原稿押えカバー１０２のカバー本体１０２ａ及びＡＤＦカバー１０２ｂと外側ガイド面とをプラスチック材を用いて一体成形することにより、部品点数が削減され組付けも容易となるので好ましい。
【００１８】
前記ペーパガイド３には、図に示すように、前記ピックアップローラ５、給紙ローラ６、分離パッド７並びに分離パッドホルダ７０、搬送ローラ８等が組み付けられて、原稿押えカバー１０２のカバー本体１０２ａに配設されている。なお、図には示していないが、ペーパガイド３には、モータや駆動ギヤ等の駆動ユニット等も組み付けられ、カバー本体１０２ａには、前記ＡＤＦカバー１０２ｂが開閉可能に配設される。
【００１９】
給紙ローラ６は、ペーパガイド３の上方に配設されて、原稿トレイ２から繰り込まれた原稿と圧接しながら回転することにより該原稿を搬送路へ送り込むものであり、例えば、金属製のローラ軸にシリコン製、ＥＰＤＭ（Ｅｔｈｙｌｅｎｅ−Ｐｒｏｐｙｌｅｎｅ−Ｄｉｅｎｅ  Ｍｅｔｈｙｌｅｎｅ  ｌｉｎｋａｇｅ：エチレンプロピレンジエン三元共重合体）製のローラが固定されてなり、該ローラ軸はペーパガイド３により回転自在に支持されている。さらに、該給紙ローラ６の上流側には、原稿トレイ２に載置された原稿の最上紙を繰り出すためのピックアップローラ５が配設されている。ピックアップローラ５も、給紙ローラ６と同様に、原稿と圧接しながら回転することにより該原稿を搬送路へ繰り込むものであり、金属製のローラ軸にシリコン製、ＥＰＤＭ製のローラが固定されてなる。該ピックアップローラ５は、不図示の給紙クラッチにより上下方向に揺動する揺動アーム５１に支持されており、該揺動アーム５１の揺動により、ピックアップローラ５は原稿トレイ２に着座可能である。原稿トレイ２に原稿を載置する際等の通常の状態では、ピックアップローラ５は原稿トレイ２から離されており、原稿繰込み時に原稿の最上紙と接触するように降下し、ピックアップローラ５及び給紙ローラ６が回転することにより、原稿の最上紙が搬送路ヘ繰り込まれる。なお、図には示していないが、前記原稿トレイ２の原稿の有無は原稿セットセンサにより検知され、該検知信号に基づいて制御手段がピックアップローラ５、揺動アーム５１、及び給紙ローラ６の動作を制御するものとなっている。
【００２０】
原稿トレイ２から搬送路へ繰り込まれた原稿は、給紙ローラ６と分離パッド７のニップ部で確実に１枚ずつ分離される。分離パッド７は、原稿に対する摩擦係数が給紙ローラ６の原稿に対する摩擦係数より低く、且つ原稿同士の摩擦係数より高いものであり、例えばウレタン系樹脂で成形することが可能である。このような分離パッド７が分離パッドホルダ７０の上面に貼設されて給紙ローラ６と圧接している。分離パッドホルダ７０は、分離パッド７を支持して前記ペーパガイド３に揺動可能に取り付けられるものであり、コイルバネ７１により上方ヘ付勢されている。これらにより、例えば、ピックアップローラ５により給紙ローラ６と分離パッド７のニップ部に搬送された原稿が、２枚の原稿が積層状態で重送されたとすると、上側の原稿は、上面が給紙ローラ６と圧接し且つ下面が下側の原稿と接した状態にあるので、給紙ローラ６の回転に従って搬送路へ繰り込まれる。一方、下側の原稿は、上面が上側の原稿と接し且つ下面が分離パッド７と圧接した状態にあるので、分離パッド７によりニップ部で制止される。このようにして、給紙ローラ６と分離パッド７のニップ部で原稿が確実に分離される。
【００２１】
給紙ローラ６及び分離パッド７により１枚ずつ分離されて搬送路に繰り込まれた原稿は、その後、搬送ローラ８により横向きＵ字状の搬送路に沿って搬送される。図に示すように、横向きＵ字状の搬送路の折返し部分の直下流と搬送路の最下流の位置に、原稿を搬送するための搬送ローラ８が夫々配置されており、該搬送ローラ８は、ローラ軸にモータ等の駆動源からの回転力が伝達されることにより回転するものであり、前記ペーパガイド３に回転自在に支持されている。搬送ローラ８の対向位置には、該搬送ローラ８の回転に従動する従動ローラ８１が、搬送路を挟むようにして設けられており、これら搬送ローラ８及び従動ローラ８１で原稿をニップしながら搬送するようになっている。これにより、前記原稿は読取位置Ｐを経て排紙トレイ４へ搬送され、該読取位置Ｐにおいてスキャナユニット１１により画像読取が行われる。なお、搬送ローラ８の配置は一例であり、搬送路の形状や距離に応じて、搬送ローラ８の数を適宜増減することは勿論可能である。
【００２２】
前記スキャナユニット１１は、読取載置台１０１内に装備されており、原稿へ光を照射し、該原稿からの反射光を電気信号に変換して画像読み取りを行う所謂縮小光学系のＣＣＤ読取ユニットであり、図４及び図６に示すように、略直方体状の筐体１２に、光源１３、反射ミラー１４、集光レンズ１５及びＣＣＤイメージセンサ１６が配設されてなる。図６に示すように、筐体１２の一端側には、案内ロッドブッシュ１７が一対設けられており、該案内ロッドブッシュ１７より下方にベルトクランプ１８が設けられている。該案内ロッドブッシュ１７は、読取載置台１０１内に設けられた案内ロッド（ガイド部材）２６を挿通するためのものであり、筐体１２から側方に突出して水平方向に貫通孔（ロッド穴）１７ａが形成されており、該貫通孔１７ａが同軸線となるように走査方向に所定間隔で配置されている。これにより、スキャナユニット１１は案内ロッド２６に沿って移動可能となっている。また、ベルトクランプ１８は、読取載置台１０１内に設けられたベルト駆動機構のベルト３０を固定するためのものであり、上下に所定間隔で配置された狭持片１８ａによりベルト３０を狭持するようになっている。これにより、不図示のプーリ間に巻回されたベルト３０の回転運動がスキャナユニット１１に伝達されてスキャナユニット１１がベルト３０とともに移動する。一方、図４に示すように、筐体１２の他端側の底部には摺動部１９が形成されている。該摺動部１９は筐体１２の他端側の底部を走査方向に渡って所定幅で切り欠いたものであり、該摺動部１９が読取載置台１０１のガイドレール（ガイド部材）２４（図７参照）上に載置されることにより、一端側に案内ロッドが挿通されたスキャナユニット１１を水平に維持してガイドレール２４上を摺動するようになっている。なお、摺動部１９には、摺動摩擦を低減するためにフッ素樹脂等の摩擦係数の小さい素材からなる摺動テープを貼設してもよい。
【００２３】
また、筐体１２の上面には光源１３が幅方向に渡って設けられており、図６に示すように、筐体１２内には反射ミラー１４、集光レンズ１５及びＣＣＤイメージセンサ１６が配設されている。該筐体１２には光源１３に沿って開口１２ａが穿設されており、該開口１２ａから原稿の反射光が筐体１２内に進入するようになっている。筐体１２内に進入した反射光Ｒは、適宜配設された反射ミラー１３により順次反射されて集光レンズ１５へ導かれる。このような反射ミラー１３の配置はＣＣＤイメージセンサ１６に反射光Ｒを結像するために必要な光路長により適宜設定される。集光レンズ１５に導かれた反射光ＲはＣＣＤイメージセンサ１６に結像されて、ＣＣＤイメージセンサ１６により電気信号に変換されて出力される。この電気信号に基づいて原稿の画像が記録部により記録用紙に記録され、又は送信部により送信されるが、これら記録部及び送信部は公知且つ任意の構成なので詳細な説明は省略する。
【００２４】
また、図４乃至図６に示すように、筐体１２の走査方向上流側（図３左側）には、筐体１２の底部付近から上流側へ固定片２０が突設されている。該固定片２０は、スキャナユニット１１をシートスルー方式のみで画像読取りを行う画像読取装置にも使用できるように、スキャナユニット１１を読取載置台１０１内の所定位置に固定するためのものであり、筐体１２の両端部近傍に夫々設けられ、各固定片２０には、不図示の固定用ネジを相通するための固定用挿通孔２０ａが穿設されている。同様に、筐体１２の走査方向下流側（図３右側）にも、筐体の側面略中央から下流側へ固定片２０が突設されている。これら各固定片２０の配置は３箇所に限定されるものではなく、スキャナユニット１１の走査に支障がない範囲で適宜設定することができる。
【００２５】
前記読取載置台１０１の筐体は、図２に示すように、ボトムフレーム２１及びフレームカバー２２からなり、該フレームカバー２２の開口部にプラテンガラス１０が配設されている。図７に示すように、ボトムフレーム２１には、案内ロッド固定部２３、ガイドレール２４、及びベルト駆動機構取付部２５Ｒ、２５Ｌが設けられている。案内ロッド固定部２３は、前記スキャナユニット１１の走査方向を規制するための案内ロッド２６を嵌め込み固定するためのものであり、ボトムフレーム２１の内側面の所定位置に一対設けられている。該案内ロッド固定部２３により案内ロッド２６がスキャナユニット１１の奥側の端部に対応して走査方向へ架設される。一方、ガイドレール２４は、案内ロッド２６と並行するようにボトムフレーム２１の手前側の側面に沿って設けられている。
【００２６】
また、ベルト駆動機構取付部２５Ｒ，２５Ｌは、スキャナフレーム１１を移動するための駆動力を付与するプーリ２８，２９、ベルト３０、モータ３１等からなるベルト駆動機構２７を配設するためのスペースであり、モータやプーリが固定されたブラケットがネジ止め等により固定される。該ベルト駆動機構２７は、図３及び図７に示すように、ベルト駆動機構２７は、駆動プーリ２８と従動プーリ２９間に巻架されたベルト３０が、モータ３１の駆動力で駆動プーリ２８が回転することにより周運動するように構成されたものであり、該ベルト３０が、前述したようにベルトクランプ（ベルト固定部）１８によりスキャナユニット１１に固定されている。駆動プーリ２８及びベルト３０はブラケット３２に夫々固定されて、ボトムフレーム２１の右奥隅部に設けられたベルト駆動機構取付部２５Ｒに配設され、ネジ等の固定具により固定されている。一方、従動プーリ２９もブラケット３３に固定されて、ボトムフレーム２１の左奥隅部に設けられたベルト駆動機構取付部２５Ｌに配設され、ネジ等の固定具により固定されている。これら駆動プーリ２８と従動プーリ２９間にベルト３０が巻架されることにより、前記案内ロッド２６に沿ってベルト３０が張られ、モータ３１を制御することにより該ベルト３０を介してスキャナユニット１１の走査が制御されている。これにより、フラットベッド方式で原稿を読み取る際に、スキャナユニット１１がプラテンガラス１０の下方を移動できるようになっている。また、スキャナユニット１１のＣＣＤイメージセンサ１６からの出力や光源１３への電力供給は、ハーネス３４によりスキャナユニット１１と装置本体（不図示）とが電気的に接続されることにより行われている。
【００２７】
また、前記ボトムフレーム２１も、シートスルー方式のみで画像読取りを行う画像読取装置にも使用できるようになっており、前記スキャナユニット１１を固定するための固定用ネジ孔３５が形成されている。詳細には、シートスルー方式の画像読取装置では、図３に示した読取位置Ｐにスキャナユニット１１を固定するが、そのために図８に示すように、該位置にスキャナユニット１１を配置させた際の前記固定片２０に対応して、固定用挿通孔２０ａと同軸となるようにボトムフレーム２１の底部に固定用ネジ孔３５が夫々穿設されている。したがって、スキャナユニット１１の各固定片２０の固定用挿通孔２０ａにネジを挿通してボトムフレーム２１の固定用ネジ孔３５に螺合することにより、スキャナユニット１１をボトムフレーム２１に固定できる。
【００２８】
このように、本画像読取装置１００は、そのスキャナユニット１１及びボトムフレーム２１をシートスルー方式でのみ画像読取りを行う画像読取装置２００にも使用できるようになっている。該画像読取装置２００は、図９に示すように、装置本体２０１に、前記ＡＤＦ１と同様のＡＤＦ９と、原稿の読取り開始等を入力するための操作パネル２０３が設けられてなり、フラットベッド方式では画像読取りを行わないので、前記画像読取装置１００のように原稿押さえカバー１０２は設けられていない。したがって、ＡＤＦ９により原稿を自動搬送して、その搬送過程において装置本体２０１内のスキャナユニット１１により画像読取りを行う。なお、ＡＤＦ９は前記ＡＤＦ１と同様の構成なので詳細な説明は省略し、また、本画像読取装置２００をコピー・ファクシミリ複合機に用いるか、ファクシミリ単体に用いるかは任意であり、図には示していないが、必要に応じて装置本体２０１には、記録用紙に画像を記録する画像記録部、画像を電送するための送信部、及び読み取った画像を記録するための記録用紙を供給する給紙カセット等を設けることができる。
【００２９】
図１０は、スキャナユニット１１を固定した場合のボトムフレーム２１の構成を示すものであるが、図に示すように、前記スキャナユニットは、ＡＤＦ９により搬送される原稿の読取位置において、各固定片２０の固定用挿通孔２０ａにネジ３６が挿通され、該ネジがボトムフレーム２１の前記固定用ネジ孔３５に螺合されることにより、ボトムフレーム２１に固定されている。画像読取装置２００では、スキャナユニット１１を走査する必要がないので、前記案内ロッド２６及びベルト駆動機構２７は設けられていない。勿論、案内ロッド２６及びベルト駆動機構２７を設けた状態でスキャナユニット１１を固定してシートスルー方式専用の画像読取装置２００とすることもできるが、案内ロッド２６及びベルト駆動機構２７を省けば軽量化及びコストダウンができるので好ましい。このように構成されたボトムフレーム２１に、ＡＤＦ９を備えたフレームカバー３７を配設して図９に示すような画像読取装置２００としている。
【００３０】
このように、フラットベッド方式で画像読取り可能な画像読取装置１００とシートスルー方式でのみ画像を読み取る画像読取装置２００とでスキャナユニット１１を共通化し、画像読取装置１００に配設する場合にはガイドレール２４及び案内ロッド２６に沿って移動可能なものとして、画像読取装置２００の配設する場合にはボトムフレーム２１に固定されたものとして、それぞれの読取り方式にあわせて使用することができる。これにより、スキャナユニット１１の汎用性が高まり、量産によるコストダウンを図ることができる。また、ボトムフレーム２１も、画像読取装置１００と画像読取装置２００とで共通化することにより同様の効果を得ることができる。
【００３１】
なお、本実施の形態で示したＡＤＦ１，９やベルト駆動機構２７の構成は一例にすぎず、本発明の要旨を逸脱しない範囲内で適宜設計変更できることは勿論であり、また、スキャナユニット１１をＣＣＤを用いた縮小光学系の読取ユニットに代えて所謂密着形イメージセンサ（Ｃｏｎｔａｃｔ  Ｉｍａｇｅ  Ｓｅｎｓｏｒ、以下「ＣＩＳ」という。）を使用したものとすることも可能である。また、画像読取装置１００をフラットベッド方式とシートスルー方式とが併用できるものとせずにフラットベッド方式の専用機としてＡＤＦ１を省いてもよいことは勿論である。
【図面の簡単な説明】
【００３２】
【図１】本実施の形態に係る画像読取装置１００の外観を示す概略斜視図である。
【図２】原稿押さえカバー１０２を開けた状態の画像読取装置１００の外観を示す概略斜視図である。
【図３】画像読取装置１００の内部構造を示す断面図である。
【図４】スキャナユニット１１の外観を示す斜視図である。
【図５】図４のＸ矢視図である。
【図６】図４のＡ−Ａ断面図である。
【図７】画像読取装置１００におけるボトムフレーム２１の内部構成を示す平面図である。
【図８】ボトムフレーム２１の平面図である。
【図９】画像読取装置２００の外観を示す概略斜視図である。
【図１０】画像読取装置２００におけるボトムフレーム２１の内部構成を示す平面図である。
【図１１】従来の画像読取装置９００の外観を示す概略斜視図である。
【符号の説明】
【００３３】
１１  スキャナユニット
１７ａ  貫通孔（ロッド穴）
１８  ベルトクランプ（ベルト固定部）
１９  摺動部
２０  固定片
２０ａ  固定用挿通孔
２１  ボトムフレーム（フレーム）
２３  案内ロッド固定部
２４  ガイドレール（ガイド部材）
２５Ｒ，２５Ｌ  ベルト駆動機構取付部
２６  案内ロッド（ガイド部材）
２７  ベルト駆動機構
３０  ベルト
３５  固定用ネジ孔
１００，２００  画像読取装置
【図１】
2005223774.tif 000003
【図２】
2005223774.tif 000004
【図３】
2005223774.tif 000005
【図４】
2005223774.tif 000006
【図５】
2005223774.tif 000007
【図６】
2005223774.tif 000008
【図７】
2005223774.tif 000009
【図８】
2005223774.tif 000010
【図９】
2005223774.tif 000011
【図１０】
2005223774.tif 000012
【図１１】
2005223774.tif 000013